(57)【要約】報時腕時計およびその実装方法が提供される。報時腕時計は、シェル、腕時計チップ、北斗チップ、および北斗アンテナを備える。北斗チップおよび北斗アンテナは、それぞれシェル上に設けられ、腕時計チップは、報時腕時計の内部に設けられ、かつ、北斗チップを介して北斗アンテナに接続される。報時腕時計の実装方法は、Ａ．北斗アンテナが北斗衛星から送信された時刻信号を受信するステップ（２０２）；Ｂ．北斗チップが北斗アンテナから時刻信号を取得するステップ（２０３）；Ｃ．北斗チップが、時刻信号の信号復調処理を行って、デジタル時刻信号を形成するステップ（２０４）；および、Ｄ．腕時計チップが、デジタル時刻信号を北斗チップから取得し、腕時計に報時を行うステップ（２０５）を含む。報時腕時計は腕時計の時刻の正確性を改善することができる。【選択図】図１
2015513089.tif 000002
【特許請求の範囲】
【請求項１】
シェルと、腕時計チップと、北斗チップと、北斗アンテナと、を備え、
前記北斗チップおよび前記北斗アンテナは、それぞれ前記シェル上に設けられ、
前記腕時計チップは、報時腕時計の内部に設けられ、かつ、前記北斗チップを介して前記北斗アンテナに接続されることを特徴とする、報時腕時計。
【請求項２】
前記腕時計チップと前記北斗チップとの間に設けられた配線制御スイッチをさらに備えることを特徴とする、請求項１に記載の報時腕時計。
【請求項３】
前記腕時計チップに接続されたセンサーモジュールをさらに備え、
前記センサーモジュールは、方位センサー、温度センサー、高度センサー、および圧力センサーのうち２以上を組み込むことを特徴とする、請求項１に記載の報時腕時計。
【請求項４】
時間、方位、温度、高度、および圧力のうちの１以上を表示する表示装置をさらに備えることを特徴とする、請求項３に記載の報時腕時計。
【請求項５】
前記表示装置は、表示画面を備えることを特徴とする、請求項４に記載の報時腕時計。
【請求項６】
電源をさらに備えることを特徴とする、請求項１〜５いずれか一項に記載の報時腕時計。
【請求項７】
前記電源は、充電式電池であることを特徴とする、請求項６に記載の報時腕時計。
【請求項８】
以下の各ステップを含むことを特徴とする、請求項１〜７いずれか一項に記載の報時腕時計の実装方法：
Ａ．前記北斗アンテナが、北斗衛星から送信された時刻信号を受信するステップ；
Ｂ．前記北斗チップが、前記北斗アンテナから前記時刻信号を取得するステップ；
Ｃ．前記北斗チップが、前記時刻信号の信号復調処理を行って、デジタル時刻信号を形成するステップ；および
Ｄ．前記腕時計チップが、前記デジタル時刻信号を前記北斗チップから取得し、前記腕時計に報時を行うステップ。
【請求項９】
前記ステップＡの前に、
前記配線制御スイッチをオンにし、前記北斗チップと前記腕時計チップとの間の配線を動作状態にするステップをさらに含む
ことを特徴とする、請求項８に記載の報時腕時計の実装方法。
【請求項１０】
前記ステップＤの後に、
前記配線制御スイッチをオフにし、前記北斗チップと前記腕時計チップとの間の前記配線を非動作状態にするステップをさらに含む
ことを特徴とする請求項９に記載の報時腕時計の実装方法。
【請求項１１】
前記ステップＣの前に、
前記センサーモジュールが、前記報時腕時計が位置する現場環境の情報を収集するステップであって、前記現場環境の前記情報は、方位、温度、高度、および圧力のうちの２以上を含む、情報収集ステップをさらに含み、
前記ステップＣは、
前記腕時計チップが、前記センサーモジュールから前記現場環境の前記情報を受信し、当該情報を処理して前記現場環境のデジタル情報を形成するステップをさらに含み、
そして前記ステップＤは、
前記表示装置が、前記現場環境のデジタル情報を前記腕時計チップから取得し、当該デジタル情報を表示するステップをさらに含む
ことを特徴とする請求項８に記載の報時腕時計の実装方法。
【請求項１２】
前記信号復調処理は、無線周波数処理およびベースバンド信号復調処理を含む
ことを特徴とする、請求項８〜１１のいずれか一項に記載の報時腕時計の実装方法。
【請求項１３】
前記ステップＤにおける前記報時は、
前記腕時計チップが、前記デジタル時刻信号の時、分、および秒を、前記報時腕時計の元の時刻の時、分、および秒と、それぞれ比較するステップをさらに含み、
前記デジタル時刻信号が、同じ時刻ビットに関して、元の時刻と同じ時刻である場合、前記腕時計チップは時刻ビットを修正せず、
前記デジタル時刻信号が、同じ時刻ビットに関して、元の時刻と異なる時刻である場合、腕時計チップは時刻ビットを修正する
ことを特徴とする、請求項８〜１１のいずれか一項に記載の報時腕時計の実装方法。
【請求項１４】
前記ステップＤの後に、
前記表示装置が、前記腕時計チップから前記デジタル時刻信号を取得し、これを表示するステップをさらに含む
ことを特徴とする、請求項８〜１１のいずれか一項に記載の報時腕時計の実装方法。
【発明の詳細な説明】
【技術分野】
【０００１】
本発明は、電気機械分野に関し、特に報時腕時計およびその実装方法に関する。
【背景技術】
【０００２】
腕時計は、一般的な時限手段として、多くの場面で使用されている。そしてさらに重要なことに、腕時計は、例えばコンパクト性、軽量性、携帯性、などの特徴を持ち、それゆえ、例えば軍事分野のような、ある特殊な状況下で有用となりうる。演習であろうと実際の戦闘であろうと、時間はもっとも重要な要素の一つであり、それゆえ、兵士の全装備中、腕時計は必要な装備の一つである。しかしながら、現在、演習または実戦は、全て遠隔管理体制の支配下で行われ、一般的に司令部は戦場からは非常に長距離離れている。司令部から出された即時命令を有効に果たすことが意図される場合、司令部の時間が兵士の腕時計の時間と高度に一致し続けなくてはならないことが要求されるが、既存の腕時計の正確性では上記要求に沿うことは明らかに困難である。
【０００３】
一方、演習もしくは実戦、あるいは科学研究者による野外調査であろうと、屋外スポーツや緊急救助などのイベントであろうと、既存の腕時計は、単機能であるという欠陥を伴い、時間の状況の必要性を満たすことはできない。
【発明の概要】
【発明が解決しようとする課題】
【０００４】
本発明は、腕時計の時間精度を改善しうる、報時腕時計およびその実装方法を提供する。
【課題を解決するための手段】
【０００５】
本発明は、シェル、腕時計チップ、北斗（Ｂｅｉｄｏｕ）チップ、および北斗アンテナを備え、
北斗チップおよび北斗アンテナは、それぞれシェル上に設けられ、
腕時計チップは、腕時計の内部に設けられ、かつ、北斗チップを介して北斗アンテナに接続される、報時腕時計を提供する。
【０００６】
報時腕時計は、好ましくは、腕時計チップと北斗チップとの間に設けられる、配線制御スイッチをさらに備える。
【０００７】
報時腕時計は、好ましくは、腕時計チップに接続されたセンサーモジュールをさらに備え、センサーモジュールは、方位センサー、温度センサー、高度センサー、および圧力センサーのうち２以上を組み込む。
【０００８】
報時腕時計は、好ましくはさらに表示装置を備え、当該表示装置は、時間、方位、温度、高度、および圧力のうちの１以上を表示する。
表示装置は、好ましくは表示画面を備える。
報時腕時計は、好ましくはさらに電源を備える。
電源は、好ましくは充電式電池である。
【０００９】
本発明は、以下の各ステップを含む、上記いずれかの報時腕時計の実装方法も提供する：
Ａ．北斗アンテナが、北斗衛星から送信される時刻信号を受信するステップ；
Ｂ．北斗チップが、北斗アンテナから時刻信号を取得するステップ；
Ｃ．北斗チップが、時刻信号の信号復調処理を行って、デジタル時刻信号を形成するステップ；および
Ｄ．腕時計チップが、デジタル時刻信号を北斗チップから取得し、腕時計に報時を行うステップ。
【００１０】
本実装方法は、ステップＡの前に、好ましくは、配線制御スイッチをオンにし、北斗チップと腕時計チップとの間の配線を動作状態にするステップをさらに含む。
【００１１】
本実装方法は、ステップＤの後に、好ましくは、配線制御スイッチをオフにし、北斗チップと腕時計チップとの間の配線を非動作状態にするステップをさらに含む。
【００１２】
本実装方法は、ステップＣの前に、好ましくは、センサーモジュールが、報時腕時計が位置する現場環境の情報を収集するステップであって、現場環境の情報は、方位、温度、高度、および圧力のうちの２以上を含む、情報収集ステップをさらに含み、
ステップＣは、好ましくは、腕時計チップが、センサーモジュールから現場環境の情報を受信し、当該情報を処理して現場環境のデジタル情報を形成するステップを含み、そしてステップＤは、好ましくは、表示装置が、現場環境のデジタル情報を腕時計チップから取得し、当該デジタル情報を表示するステップをさらに含む。
【００１３】
信号復調処理は、好ましくは、無線周波数処理およびベースバンド信号復調処理を含む。
【００１４】
ステップＤにおける報時は、好ましくは、
腕時計チップが、デジタル時刻信号の時、分、および秒を、報時腕時計の元の時刻の時、分、および秒と、それぞれ比較するステップをさらに含み、
デジタル時刻信号が、同じ時刻ビットに関して、元の時刻と同じ時刻である場合、腕時計チップは時刻ビットを修正せず、
デジタル時刻信号が、同じ時刻ビット上、元の時刻と異なる時刻である場合、腕時計チップは時刻ビットを修正する。
【００１５】
本実装方法は、ステップＤの後に、好ましくは、表示装置が、腕時計チップからデジタル時刻信号を取得し、これを表示するステップをさらに含む。
【００１６】
本発明により提供される報時腕時計およびその実装方法により、以下の有利な効果を得ることができる。
【００１７】
１．本発明の報時腕時計は、シェル、腕時計チップ、北斗チップ、および北斗アンテナを備え、北斗チップおよび北斗アンテナはそれぞれシェル上に設けられ、腕時計チップは、報時腕時計の内部に設けられ、かつ、北斗チップを介して北斗アンテナに接続される。報時腕時計の実装方法は、以下の各ステップを含む：Ａ．北斗アンテナが北斗衛星から送信された時刻信号を受信するステップ；Ｂ．北斗チップが北斗アンテナから時刻信号を取得するステップ；Ｃ．北斗チップが、時刻信号の信号復調処理を行って、デジタル時刻信号を形成するステップ；および、Ｄ．腕時計チップが、デジタル時刻信号を北斗チップから取得し、腕時計に報時を行うステップ。北斗アンテナが、一旦、北斗衛星から送信された時刻信号を受信し、北斗アンテナ自体で当該時刻信号を処理すると、腕時計は報時を再度受け、腕時計の時刻が北斗衛星の時刻と同期して一致し、その結果、腕時計の精度が改善される。さらに、多くの人々が同じ時間に基づいて働く必要がある場合、この報時腕時計の報時により、全員の腕時計が正しい時間になり、仕事が円滑かつ首尾よく行われることを促進することができる。
【００１８】
２．本発明の報時腕時計は、腕時計チップと北斗チップとの間に設けられた配線制御スイッチをさらに備える。配線制御スイッチをオンまたはオフにすることで、腕時計チップと北斗チップとの間の配線が接続状態または非接続状態になり、そして、報時の処理が動作状態または非動作状態になる。報時腕時計の電源は、動作状態では使用されるが、非動作状態では使用されないため、報時腕時計の電力消費がさらに節約される。
【００１９】
３．本発明の報時腕時計は、さらにセンサーモジュールを備え、当該センサーモジュールは、方位センサー、温度センサー、高度センサー、および圧力センサーのうちの２以上を組み込む。報時腕時計が位置する現場環境の情報は、センサーモジュールにより収集され、収集された現場環境の情報は、腕時計チップにより処理された後、表示される。従って、報時腕時計の実用性が拡張される。
【００２０】
４．本発明の報時腕時計の電源は充電式電池であるので、電池の利用性が改善される。
【図面の簡単な説明】
【００２１】
本発明の実施形態または従来技術の技術的解決手段をより明確に説明するため、ここで、実施形態または従来技術の説明についての図面を簡単に説明する。また、明らかに、以下に説明する図面は本発明のいくつかの実施形態のみのためのものであり、他の実施形態およびそれらの図面は、当業者であれば、図面で説明されたこれらの実施形態に基づいて、発明の労力なしで、得ることができる。
【図１】本発明の具体的な実施形態に係る報時腕時計の基本的な構成図である。
【図２】本発明の具体的な実施形態に係る報時腕時計の実装方法のフローチャート図である。
【図３】本発明の具体的な実施形態に係る報時の作業フロー図である。
【発明を実施するための形態】
【００２２】
以下、本発明の種々の実施形態の技術的解決手段について、添付図面を併用して明確かつ十分に説明する。明らかに、記載の実施形態は、本発明の全ての実施形態を含むというよりむしろ、本発明の実施形態の一部のみである。本発明の実施形態に基づいて、発明の労力なく当業者により得られる他の全ての実施形態は、本発明の保護の範囲内に属する。
【００２３】
本発明は、シェル、腕時計チップ、北斗チップ、および北斗アンテナを備え、
北斗チップおよび北斗アンテナは、それぞれシェル上に設けられ、
腕時計チップは、報時腕時計の内部に設けられ、かつ、北斗チップを介して前記北斗アンテナに接続される、報時腕時計を提供する。
【００２４】
報時腕時計の実装方法は、以下の各ステップを含む：
Ａ．北斗アンテナが、北斗衛星から送信された時刻信号を受信するステップ；
Ｂ．北斗チップが、北斗アンテナから時刻信号を取得するステップ；
Ｃ．北斗チップが、時刻信号の信号復調処理を行って、デジタル時刻信号を形成するステップ、および
Ｄ．腕時計チップが、デジタル時刻信号を前記北斗チップから取得し、腕時計に報時を行うステップ。
【００２５】
北斗アンテナが、一旦、北斗衛星から送信された時刻信号を受信し、北斗アンテナ自体で当該時刻信号を処理すると、腕時計は報時を再度受信し、腕時計の時刻が北斗衛星の時刻と同期して一致し、その結果、腕時計の時刻の精度が改善される。さらに、多くの人々が同じ時間に基づいて働く必要がある場合、この報時腕時計の報時により、全員の腕時計が正しい時間になり、仕事が円滑かつ首尾よく行われることを促進することができる。
【００２６】
次に、本発明のいくつかの具体的な実施形態を通して、報時腕時計を詳細に説明する。
【００２７】
図１に示すように、本発明は、シェル、腕時計チップ、北斗チップ、および北斗アンテナを備え、
北斗チップおよび北斗アンテナは、それぞれシェル上に設けられ、
腕時計チップは、報時腕時計の内部に設けられ、かつ、北斗チップを介して前記北斗アンテナに接続される、報時腕時計を提供する。
【００２８】
報時腕時計は、好ましくは、腕時計チップと北斗チップとの間に設けられる、配線制御スイッチをさらに備える。配線制御スイッチを制御することで、腕時計チップを北斗チップに接続または非接続にさせることができ、それにより、報時腕時計全体は２つの動作モードを取りうる。その一方は北斗アンテナおよび北斗チップのいずれもが非動作の休止状態にある非アクティブのノーマルモード、他方は北斗アンテナ、北斗チップ、および腕時計チップが全てアクティブの動作モードである。２つの動作状態により、非動作状態では当該報時腕時計のいくつかの構成要素が電源を使用しなくなるので、省エネルギー効果を実現し、これにより電源の寿命を延ばすことになる。
【００２９】
典型的に、シェルの端部には、互いに反対側に配置される２つの腕時計突耳（ｗａｔｃｈ  ｅａｒｓ）と、シェルの中心を貫通する相互接続線とが設けられる。２つの腕時計突耳のうちの一方は６時の位置に設けられてもよく、そして他方は１２時の位置に設けられ、シェル上の北斗アンテナおよび北斗チップが搭載される位置は、任意に設定してよい。例えば、北斗アンテナは一方の腕時計突耳上に配置され、北斗チップは他方の腕時計突耳上に配置される。
【００３０】
いくつかの具体的な実施形態において、北斗チップと北斗アンテナとの間には接続関係があり、その接続関係は、既存の電子デバイス間の接続関係、例えば無線接続、有線接続、または他の接続手段など、のいずれでもよい。
【００３１】
腕時計チップは、報時腕時計の主要な構成要素であり、当該腕時計内に設けられ、換言すると、シェルによって覆われる。
【００３２】
北斗アンテナは、北斗衛星からの時刻信号を受信するために使用され、北斗チップは、時刻信号を分析して、時刻信号をデジタル形式に変換し、腕時計チップは、変換されたデジタル時刻信号に基づいて報時を行う。
【００３３】
いくつかの具体的な実施形態において、報時腕時計の機能性および実用性を改善するため、報時腕時計は、好ましくは、腕時計チップに接続されたセンサーモジュールをさらに備え、センサーモジュールは、方位センサー、温度センサー、高度センサー、および圧力センサーのうちの２以上を組み込む。センサーモジュールは、報時腕時計が位置する現場環境の、方位、温度、高度、圧力などのような信号を収集するのに使用される。そして、腕時計チップにより処理がされた後に報時腕時計に当該信号が表示され、ユーザーは周囲の状況をより良く理解し、周囲の状況に適した様々な活動を行うことができる。腕時計を小型化する要求を適えるために、上記４つのセンサーを一体化したセンサーモジュールは、シェルに搭載された回路基板にある。
【００３４】
いくつかの具体的な実施形態において、センサーモジュールにより収集された現場環境の時刻および情報を報時腕時計の使用者に示すために、報時腕時計は、好ましくはさらに、時間、方位、温度、高度、および圧力のうちの１以上を表示する表示装置を備える。
【００３５】
表示装置は、上記内容を表示する既知の電子デバイスのいずれでもよく、例えば、表示装置は好ましくは、通常、液晶ディスプレイ（ＬＣＤ）の表示画面を備える。表示装置は、さらに、時刻を表示できるポインターを備える。
【００３６】
いくつかの具体的な実施形態において、報時腕時計は、好ましくはさらに、報時腕時計に電力資源を提供できる電源を備える。
報時腕時計は、北斗衛星から信号を受信し分析する必要があるため、電力資源を必要とするが、簡単な機械力によってこの機能を達成するのは困難であるため、通常、電源が採用される。
【００３７】
電源は、その一端が北斗チップに接続され、他端が腕時計チップに接続される。
電源の実用性および循環利用性の効果を改善するために、電源は好ましくは充電式電池である。電源は、絶えず充電されることで繰り返し使用することができるため、効率的に電力資源を使用できるだけでなく、報時腕時計の稼働環境により良く適応できる。
【００３８】
報時腕時計をさらに説明するため、以下では、図２に示す具体的な実施形態によって報時腕時計の実装方法について説明する。
【００３９】
ステップ２０１では、配線制御スイッチをオンにし、北斗チップと腕時計チップとの間の配線を動作状態にする；
配線制御スイッチをオンにすると、北斗チップと腕時計チップとの間の接続が確立し、北斗衛星からの信号が受信されて処理され、報時が行われる。
ステップ２０２では、北斗アンテナが北斗衛星から送信された時刻信号を受信する；
北斗アンテナは、北斗衛星から送信された時刻信号を、任意の方法で受信してよい。
ステップ２０３では、北斗チップが北斗アンテナから時刻信号を取得する；
当該取得方法は、様々な形態をとってよく、例えば、北斗アンテナが北斗チップに時刻信号を送信する、または北斗チップが北斗アンテナから時刻信号等を読み取る。
ステップ２０４では、北斗チップが時刻信号の信号復調処理を行って、デジタル時刻信号を形成する；
ここで、信号復調処理は、時刻信号をデジタル形式のデジタル時刻信号に変換するために、無線周波数処理およびベースバンド信号復調処理を含む。
ステップ２０５では、腕時計チップが、デジタル時刻信号を北斗チップから取得し、腕時計に報時を行う。
【００４０】
報時は、以下を含む：
腕時計チップが、デジタル時刻信号の時、分、および秒を、報時腕時計の元の時刻の時、分、および秒と、それぞれ比較するステップ；
ここで、デジタル時刻信号が、同じ時刻ビットに関して、元の時刻と同じ時刻である場合、腕時計チップは時刻ビットを修正せず；
デジタル時刻信号が、同じ時刻ビットに関して、元の時刻と異なる時刻である場合、腕時計チップは時刻ビットを修正する。
【００４１】
詳細な処理を図３に示す。
別の具体的な実施形態において、修正は、時、分、そして秒の順番、もしくは、秒、分、そして時の順番、または他の順番で行われてもよい。
【００４２】
ステップ２０６では、表示装置が、腕時計チップからデジタル時刻信号を取得し、当該デジタル時刻信号を表示する；
ここで、表示装置は、典型的には、ポインターまたは電子表示画面であり、表示モードは、典型的には、時、分、および秒の形態である。
ステップ２０７では、配線制御スイッチをオフにし、北斗チップと腕時計チップとの間の配線を非動作状態にする；
ここで、北斗チップおよび北斗衛星は非動作状態にあり、電源はもはや使用されないため、エネルギーの節約およびエネルギー源の長寿命化につながる。
ステップ２０８では、センサーモジュールが、報時腕時計が位置する現場環境の情報を収集する；
ここで、現場環境の情報は、方位、温度、高度、および圧力のうちの２以上を含む。報時腕時計の機能性および実用性は、現場環境の情報を収集することで、改善させることができる。
ステップ２０９では、腕時計チップがセンサーモジュールから現場環境の情報を受信し、当該現場環境の情報を処理して現場環境のデジタル情報を形成する；
ここで、このような処理は、センサーにより収集された信号を処理してデジタル形式の信号を形成する任意の１以上の既存の方法、例えば、フィルトレーション、増幅、およびＡ／Ｄ変換等、でよい。
ステップ２１０では、表示装置が現場環境のデジタル情報を腕時計チップから取得し、これを表示する。
【００４３】
いくつかの具体的な実施形態では、ステップ２０８、ステップ２０９、およびステップ２１０は複合ステップを構成し、先のステップ２０３、ステップ２０４、ステップ２０５、ステップ２０６、およびステップ２０７は、別の複合ステップを構成し、これら２つの複合ステップは、逆の順番で実行されてもよい。上記２つの複合ステップは、同時に実行されてもよい。ステップ２０６とステップ２０７の順番もまた、逆でもよい。腕時計チップが北斗チップからデジタル時刻信号を取得した後、腕時計チップおよび北斗チップは切断してもよく、そして、腕時計チップは動作を継続し、表示装置はデジタル時刻信号を表示する。
【００４４】
本発明により提供される報時腕時計およびその実装方法により、以下の有利な効果を得ることができる：
１．本発明の報時腕時計は、シェル、腕時計チップ、北斗チップ、および北斗アンテナを備え、北斗チップおよび北斗アンテナはそれぞれシェル上に設けられ、腕時計チップは、報時腕時計の内部に設けられ、かつ、北斗チップを介して北斗アンテナに接続される。報時腕時計の実装方法は、Ａ．北斗アンテナが北斗衛星から送信された時刻信号を受信するステップと；Ｂ．北斗チップが北斗アンテナから時刻信号を取得するステップと；Ｃ．北斗チップが、時刻信号の信号復調処理を行って、デジタル時刻信号を形成するステップと；Ｄ．腕時計チップが、デジタル時刻信号を北斗チップから取得し、腕時計に報時を行うステップと；を含む。北斗アンテナが北斗衛星から送信された時刻信号を受信し、北斗アンテナ自体で当該時刻信号を処理すると、腕時計は報時を再度受け、腕時計の時刻が北斗衛星の時刻と同期して一致し、その結果、腕時計の精度が改善される。さらに、多くの人々が同じ時間に基づいて働く必要がある場合、この報時腕時計の報時により、全員の腕時計が正しい時間になり、仕事が円滑かつ首尾よく行われることを促進することができる。
【００４５】
２．本発明の報時腕時計は、前記腕時計チップと前記北斗チップとの間に設けられた配線制御スイッチをさらに備える。配線制御スイッチをオンまたはオフにすることで、腕時計チップと北斗チップとの間の配線が接続状態または非接続状態になり、そして、報時の処理が動作状態または非動作状態になる。報時腕時計の電源は、動作状態中には使用され、非動作状態中には使用されない。このようにして、報時腕時計の電力消費がさらに節約される。
【００４６】
３．本発明の報時腕時計は、さらにセンサーモジュールを備え、当該センサーモジュールは、方位センサー、温度センサー、高度センサー、および圧力センサーのうちの２以上を組み込む。報時腕時計が位置する現場環境の情報は、センサーモジュールにより収集され、収集された現場環境の情報は、腕時計チップにより処理された後、表示される。このようにして、報時腕時計の実用性が拡張される。
【００４７】
４．本発明の報時腕時計の電源は充電式電池であるので、電池の利用性が改善される。
【００４８】
本発明により提供される種々の実施形態は、必要に応じてあらゆる方法で相互に組み合わせることができ、このような組み合わせから得られる技術的解決手段もまた、本発明の範囲内である。
【００４９】
当業者にとって、本発明の精神および範囲から逸脱することなく、種々の変形および変更を本発明に加えうることは明らかである。従って、本発明に対するこれらの変形および変更が本発明の特許請求の範囲または等価物の範囲内に属する場合、これらの変形および変更は本発明に含まれるものである。
【図１】
2015513089.tif 000003
【図２】
2015513089.tif 000004
【図３】
2015513089.tif 000005
【国際調査報告】
2015513089.tif 000006
2015513089.tif 000007
2015513089.tif 000008
2015513089.tif 000009